(57)【特許請求の範囲】
【請求項１】
ワイヤレス通信のための方法であって、
過負荷メトリックが対応するしきい値を超えたかどうかを決定することと、
前記過負荷メトリックが前記対応するしきい値を超えた場合、第１の時間間隔中に少なくとも１つのアップリンク制御チャネルの送信電力を、前記第１の時間間隔のオフサイクル期間中に前記アップリンク制御チャネルの少なくとも一部分を選択的に送信しないことによって、変更することと、
前記第１の時間間隔の満了後に、前記過負荷メトリックが依然として前記しきい値を超えているかどうかを決定することと、
前記過負荷メトリックに少なくとも部分的に基づいて前記オフサイクル期間の持続時間を変更することと、
前記変更されたオフサイクル期間の持続時間の間、第２の時間間隔中に前記アップリンク制御チャネルの少なくとも一部分を選択的に送信しないことと、
を含む、方法。
【請求項２】
前記過負荷メトリックが温度メトリックである、請求項１に記載の方法。
【請求項３】
選択的に送信されない前記アップリンク制御チャネルの前記一部分が、１つまたは複数の受信したパケットに対応する１つまたは複数の確認応答メッセージを含む、請求項１に記載の方法。
【請求項４】
前記送信電力を変更することが、
前記オフサイクル期間の持続時間の間、前記第１の時間間隔中に物理アップリンク制御チャネル（ＰＵＣＣＨ）の１つまたは複数のハイブリッド自動再送要求（ＨＡＲＱ）メッセージを選択的に送信しないこと
をさらに含む、請求項１に記載の方法。
【請求項５】
前記オフサイクル期間の満了時に前記第１の時間間隔中に前記少なくとも１つのアップリンク制御チャネルを送信すること
をさらに含む、請求項１に記載の方法。
【請求項６】
前記第１の時間間隔の満了時に、前記過負荷メトリックが依然として前記しきい値を超えていると決定したことに応答して、前記オフサイクル期間の前記持続時間を増加させること
をさらに含む、請求項１に記載の方法。
【請求項７】
前記変更されたオフサイクル期間の持続時間の間、第２の時間間隔中に前記アップリンク制御チャネルの少なくとも一部分を選択的に送信しないことは、前記変更されたオフサイクル期間の前記持続時間の間、前記第２の時間間隔中に１つまたは複数の確認応答メッセージを選択的に送信しないことを含む、請求項１に記載の方法。
【請求項８】
前記オフサイクル期間の前記持続時間の間、前記第１の時間間隔中にアップリンクデータチャネル上で１つまたは複数のパケットに対応する１つまたは複数の無線リンク制御確認応答メッセージを送信すること
をさらに含む、請求項１に記載の方法。
【請求項９】
前記送信電力を変更することが、
前記第１の時間間隔中に少なくとも１つのアップリンクチャネルに関連する電力増幅器（ＰＡ）の最大送信電力限界（ＭＴＰＬ）を低減すること
をさらに含む、請求項１に記載の方法。
【請求項１０】
前記変更することが、
前記第１の時間間隔中に１つまたは複数のダウンタイマー期間中に電力バックオフ値に基づいて前記少なくとも１つのアップリンクチャネルについての前記ＭＴＰＬを周期的に低減すること
を含む、請求項９に記載の方法。
【請求項１１】
ワイヤレス通信のための装置であって、
過負荷メトリックが対応するしきい値を超えたかどうかを決定するための手段と、
前記過負荷メトリックが前記対応するしきい値を超えた場合、第１の時間間隔中に少なくとも１つのアップリンク制御チャネルの送信電力を、前記第１の時間間隔のオフサイクル期間中に前記アップリンク制御チャネルの少なくとも一部分を選択的に送信しないことによって、変更するための手段と、
前記第１の時間間隔の満了後に、前記過負荷メトリックが依然として前記しきい値を超えているかどうかを決定するための手段と、
前記過負荷メトリックに少なくとも部分的に基づいて前記オフサイクル期間の持続時間を変更するための手段と、
前記変更されたオフサイクル期間の持続時間の間、第２の時間間隔中に前記アップリンク制御チャネルの少なくとも一部分を選択的に送信しないための手段と、
を含む、装置。
【請求項１２】
前記過負荷メトリックが温度メトリックである、請求項１１に記載の装置。
【請求項１３】
選択的に送信されない前記アップリンク制御チャネルの前記一部分が、１つまたは複数の受信したパケットに対応する１つまたは複数の確認応答メッセージを含む、請求項１１に記載の装置。
【請求項１４】
前記送信電力を変更するための前記手段が、
前記オフサイクル期間の持続時間の間、前記第１の時間間隔中に物理アップリンク制御チャネル（ＰＵＣＣＨ）の１つまたは複数のハイブリッド自動再送要求（ＨＡＲＱ）メッセージを選択的に送信しないための手段
をさらに含む、請求項１１に記載の装置。
【請求項１５】
前記オフサイクル期間の満了時に前記第１の時間間隔中に前記少なくとも１つのアップリンク制御チャネルを送信するための手段
をさらに含む、請求項１１に記載の装置。
【請求項１６】
前記第１の時間間隔の満了時に、前記過負荷メトリックが依然として前記しきい値を超えていると決定したことに応答して、前記オフサイクル期間の前記持続時間を増加させるための手段
をさらに含む、請求項１１に記載の装置。
【請求項１７】
前記変更されたオフサイクル期間の持続時間の間、第２の時間間隔中に前記アップリンク制御チャネルの少なくとも一部分を選択的に送信しないための手段は、前記変更されたオフサイクル期間の前記持続時間の間、前記第２の時間間隔中に１つまたは複数の確認応答メッセージを選択的に送信しないための手段を含む、
請求項１１に記載の装置。
【請求項１８】
前記オフサイクル期間の前記持続時間の間、前記第１の時間間隔中にアップリンクデータチャネル上で１つまたは複数のパケットに対応する１つまたは複数の無線リンク制御確認応答メッセージを送信するための手段
をさらに含む、請求項１１に記載の装置。
【請求項１９】
前記送信電力を変更するための前記手段が、
前記第１の時間間隔中に少なくとも１つのアップリンクチャネルに関連する電力増幅器（ＰＡ）の最大送信電力限界（ＭＴＰＬ）を低減するための手段
をさらに含む、請求項１１に記載の装置。
【請求項２０】
変更するための前記手段が、
前記第１の時間間隔中に１つまたは複数のダウンタイマー期間中に電力バックオフ値に基づいて前記少なくとも１つのアップリンクチャネルについての前記ＭＴＰＬを周期的に低減するための手段
を含む、請求項１９に記載の装置。
【請求項２１】
ワイヤレス通信のための装置であって、
過負荷メトリックが対応するしきい値を超えたかどうかを決定することと、
前記過負荷メトリックが前記対応するしきい値を超えた場合、第１の時間間隔中に少なくとも１つのアップリンク制御チャネルの送信電力を、前記第１の時間間隔のオフサイクル期間中に前記アップリンク制御チャネルの少なくとも一部分を選択的に送信しないことによって、変更することと、
前記第１の時間間隔の満了後に、前記過負荷メトリックが依然として前記しきい値を超えているかどうかを決定することと、
前記過負荷メトリックに少なくとも部分的に基づいて前記オフサイクル期間の持続時間を変更することと、
前記変更されたオフサイクル期間の持続時間の間、第２の時間間隔中に前記アップリンク制御チャネルの少なくとも一部分を選択的に送信しないことと、
を行うように構成された少なくとも１つのプロセッサ
を含む、装置。
【請求項２２】
前記過負荷メトリックが温度メトリックである、請求項２１に記載の装置。
【請求項２３】
選択的に送信されない前記アップリンク制御チャネルの前記一部分が、１つまたは複数の受信したパケットに対応する１つまたは複数の確認応答メッセージを含む、請求項２１に記載の装置。
【請求項２４】
前記送信電力を変更するように構成された前記少なくとも１つのプロセッサが、
前記オフサイクル期間の持続時間の間、前記第１の時間間隔中に物理アップリンク制御チャネル（ＰＵＣＣＨ）の１つまたは複数のハイブリッド自動再送要求（ＨＡＲＱ）メッセージを選択的に送信しない
ようにさらに構成された、請求項２１に記載の装置。
【請求項２５】
前記少なくとも１つのプロセッサが、
前記オフサイクル期間の満了時に前記第１の時間間隔中に前記少なくとも１つのアップリンク制御チャネルを送信する
ようにさらに構成された、請求項２１に記載の装置。
【請求項２６】
前記少なくとも１つのプロセッサが、
前記第１の時間間隔の満了時に、前記過負荷メトリックが依然として前記しきい値を超えていると決定したことに応答して、前記オフサイクル期間の前記持続時間を増加させる
ようにさらに構成された、請求項２１に記載の装置。
【請求項２７】
前記変更されたオフサイクル期間の持続時間の間、第２の時間間隔中に前記アップリンク制御チャネルの少なくとも一部分を選択的に送信しないことは、前記変更されたオフサイクル期間の前記持続時間の間、前記第２の時間間隔中に１つまたは複数の確認応答メッセージを選択的に送信しないことを含む、
請求項２１に記載の装置。
【請求項２８】
前記少なくとも１つのプロセッサが、
前記オフサイクル期間の前記持続時間の間、前記第１の時間間隔中にアップリンクデータチャネル上で１つまたは複数のパケットに対応する１つまたは複数の無線リンク制御確認応答メッセージを送信する
ようにさらに構成された、請求項２１に記載の装置。
【請求項２９】
前記送信電力を変更するように構成された前記少なくとも１つのプロセッサが、
前記第１の時間間隔中に少なくとも１つのアップリンクチャネルに関連する電力増幅器（ＰＡ）の最大送信電力限界（ＭＴＰＬ）を低減する
ようにさらに構成された、請求項２１に記載の装置。
【請求項３０】
前記送信電力を変更するように構成された前記少なくとも１つのプロセッサが、
前記第１の時間間隔中に１つまたは複数のダウンタイマー期間中に電力バックオフ値に基づいて前記少なくとも１つのアップリンクチャネルについての前記ＭＴＰＬを周期的に低減する
ようにさらに構成された、請求項２９に記載の装置。
【請求項３１】
ワイヤレス通信のためのコンピュータプログラムであって、
過負荷メトリックが対応するしきい値を超えたかどうかを決定することと、
前記過負荷メトリックが前記対応するしきい値を超えた場合、第１の時間間隔中に少なくとも１つのアップリンク制御チャネルの送信電力を、前記第１の時間間隔のオフサイクル期間中に前記アップリンク制御チャネルの少なくとも一部分を選択的に送信しないことによって、変更することと、
前記第１の時間間隔の満了後に、前記過負荷メトリックが依然として前記しきい値を超えているかどうかを決定することと、
前記過負荷メトリックに少なくとも部分的に基づいて前記オフサイクル期間の持続時間を変更することと、
前記変更されたオフサイクル期間の持続時間の間、第２の時間間隔中に前記アップリンク制御チャネルの少なくとも一部分を選択的に送信しないことと、
を行うための、１つまたは複数のプロセッサによって実行可能なコードを備える、
コンピュータプログラム。
【請求項３２】
前記過負荷メトリックが温度メトリックである、請求項３１に記載のコンピュータプログラム。
【請求項３３】
選択的に送信されない前記アップリンク制御チャネルの前記一部分が、１つまたは複数の受信したパケットに対応する１つまたは複数の確認応答メッセージを含む、請求項３１に記載のコンピュータプログラム。
【請求項３４】
前記送信電力を変更するための前記コードが、
前記オフサイクル期間の持続時間の間、前記第１の時間間隔中に物理アップリンク制御チャネル（ＰＵＣＣＨ）の１つまたは複数のハイブリッド自動再送要求（ＨＡＲＱ）メッセージを選択的に送信しないためのコード
をさらに含む、請求項３１に記載のコンピュータプログラム。
【請求項３５】
前記オフサイクル期間の満了時に前記第１の時間間隔中に前記少なくとも１つのアップリンク制御チャネルを送信するためのコード
をさらに含む、請求項３１に記載のコンピュータプログラム。
【請求項３６】
前記第１の時間間隔の満了時に、前記過負荷メトリックが依然として前記しきい値を超えていると決定したことに応答して、前記オフサイクル期間の前記持続時間を増加させるためのコード
をさらに含む、請求項３１に記載のコンピュータプログラム。
【請求項３７】
前記変更されたオフサイクル期間の持続時間の間、第２の時間間隔中に前記アップリンク制御チャネルの少なくとも一部分を選択的に送信しないことは、前記変更されたオフサイクル期間の前記持続時間の間、前記第２の時間間隔中に１つまたは複数の確認応答メッセージを選択的に送信しないことを含む、
請求項３１に記載のコンピュータプログラム。
【請求項３８】
前記オフサイクル期間の前記持続時間の間、前記第１の時間間隔中にアップリンクデータチャネル上で１つまたは複数のパケットに対応する１つまたは複数の無線リンク制御確認応答メッセージを送信するためのコード
をさらに含む、請求項３１に記載のコンピュータプログラム。
【請求項３９】
前記送信電力を変更するための前記コードが、
前記第１の時間間隔中に少なくとも１つのアップリンクチャネルに関連する電力増幅器（ＰＡ）の最大送信電力限界（ＭＴＰＬ）を低減するためのコード
をさらに含む、請求項３１に記載のコンピュータプログラム。
【請求項４０】
変更するための前記コードが、
前記第１の時間間隔中に１つまたは複数のダウンタイマー期間中に電力バックオフ値に基づいて前記少なくとも１つのアップリンクチャネルについての前記ＭＴＰＬを周期的に低減するためのコード
を含む、請求項３９に記載のコンピュータプログラム。
【発明の詳細な説明】
【技術分野】
【０００１】
米国特許法第１１９条に基づく優先権の主張
本特許出願は、本出願の譲受人に譲渡され、参照により本明細書に明確に組み込まれる、２０１１年８月１１日に出願された「METHODS AND APPARATUS FOR OVERLOAD MITIGATION USING UPLINK TRANSMIT POWER BACKOFF」と題する米国仮出願第６１／５２２，６１５号の優先権の利益を主張する。
【０００２】
本開示のいくつかの態様は、一般にワイヤレス通信システムに関し、より詳細には、無線コンポーネントの過負荷を軽減するための（たとえば、送信電力増幅器によって引き起こされる過熱問題を低減するための）アップリンクフロー制御のための方法および装置に関する。
【背景技術】
【０００３】
ワイヤレス通信システムは、ボイス、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００４】
概して、ワイヤレス多元接続通信システムは、複数のワイヤレス端末のための通信を同時にサポートすることができる。各端末は、順方向リンクおよび逆方向リンク上での送信によって１つまたは複数の基地局と通信する。順方向リンク（またはダウンリンク）は、基地局から端末への通信リンクを指し、逆方向リンク（またはアップリンク）は、端末から基地局への通信リンクを指す。この通信リンクは、単入力単出力（ＳＩＳＯ）、多入力単出力（ＭＩＳＯ）または多入力多出力（ＭＩＭＯ）システムを介して確立され得る。
【０００５】
ＭＩＭＯシステムは、データ送信のために複数（ＮＴ個）の送信アンテナと複数（ＮＲ個）の受信アンテナとを採用する。ＮＴ個の送信アンテナとＮＲ個の受信アンテナとによって形成されるＭＩＭＯチャネルは、空間チャネルと呼ばれることもあるＮＳ個の独立チャネルに分解され得、ここで、ＮS≦ｍｉｎ｛ＮT，ＮR｝である。ＮＳ個の独立チャネルの各々は１つの次元に対応する。複数の送信アンテナおよび受信アンテナによって生み出された追加の次元数が利用された場合、ＭＩＭＯシステムは改善された性能（たとえば、より高いスループットおよび／またはより大きい信頼性）を与えることができる。
【０００６】
ＭＩＭＯシステムは時分割複信（ＴＤＤ）システムと周波数分割複信（ＦＤＤ）システムとをサポートする。ＴＤＤシステムでは、順方向リンク送信と逆方向リンク送信とが同じ周波数領域上で行われるので、相反定理により逆方向リンクチャネルからの順方向リンクチャネルの推定が可能である。これにより、複数のアンテナがアクセスポイントにおいて利用可能であるときに、アクセスポイントは順方向リンク上で送信ビームフォーミング利得を抽出することが可能になる。
【０００７】
さらに、高度無線アクセス技術（ＲＡＴ）によって指定された高データレートをサポートするワイヤレス通信システムは、より低いデータレートをサポートする従来のワイヤレスデバイスと比較して過負荷問題（たとえば、電力消費問題および過熱問題）に直面し得る。したがって、高データレートをサポートしながら過負荷問題を軽減するための技法および装置が必要である。
【発明の概要】
【０００８】
本開示のいくつかの態様は、ワイヤレス通信のための方法を提供する。該方法は、概して、過負荷メトリック（overload metric）が対応するしきい値を超えたかどうかを決定することを含む。該方法は、過負荷メトリックが対応するしきい値を超えた場合、第１の時間間隔のオフサイクル期間中に少なくとも１つのアップリンク制御チャネルの少なくとも一部分を選択的に送信しないことによって、第１の時間間隔中に該アップリンク制御チャネルの送信電力を変更することをさらに含む。
【０００９】
いくつかの態様では、ワイヤレス通信のための装置が提供される。該装置は、概して、過負荷メトリックが対応するしきい値を超えたかどうかを決定するための手段を含む。該装置は、過負荷メトリックが対応するしきい値を超えた場合、第１の時間間隔のオフサイクル期間中に少なくとも１つのアップリンク制御チャネルの少なくとも一部分を選択的に送信しないことによって、第１の時間間隔中に該アップリンク制御チャネルの送信電力を変更するための手段をさらに含む。
【００１０】
いくつかの態様では、少なくとも１つのプロセッサを有するワイヤレス通信のための装置が提供される。少なくとも１つのプロセッサは、過負荷メトリックが対応するしきい値を超えたかどうかを決定するように構成される。少なくとも１つのプロセッサは、過負荷メトリックが対応するしきい値を超えた場合、第１の時間間隔のオフサイクル期間中に少なくとも１つのアップリンク制御チャネルの少なくとも一部分を選択的に送信しないことによって、第１の時間間隔中に該アップリンク制御チャネルの送信電力を変更するようにさらに構成される。
【００１１】
いくつかの態様では、ワイヤレス通信のためのコンピュータプログラム製品が提供される。該コンピュータプログラム製品は、概して、１つまたは複数のプロセッサによって実行可能なコードを記憶した非一時的コンピュータ可読媒体を含む。コードは、概して、過負荷メトリックが対応するしきい値を超えたかどうかを決定するためのコードを含む。コードは、過負荷メトリックが対応するしきい値を超えた場合、第１の時間間隔のオフサイクル期間中に少なくとも１つのアップリンク制御チャネルの少なくとも一部分を選択的に送信しないことによって、第１の時間間隔中に該アップリンク制御チャネルの送信電力を変更するためのコードをさらに含む。
【００１２】
本開示の上述の特徴を詳細に理解することができるように、添付の図面にその一部を示す態様を参照することによって、上記で簡単に要約したより具体的な説明が得られ得る。ただし、その説明は他の等しく有効な態様に通じ得るので、添付の図面は、本開示のいくつかの典型的な態様のみを示し、したがって、本開示の範囲を限定するものと見なすべきではないことに留意されたい。
【図面の簡単な説明】
【００１３】
【図１】多元接続ワイヤレス通信システムを示す図。
【図２】通信システムのブロック図。
【図３】本開示のいくつかの態様による、ワイヤレスデバイスにおいて利用され得る様々なコンポーネントを示す図。
【図４】本開示のいくつかの態様による、様々な温度と、図３の温度モニタの対応する状態とを示すグラフ。
【図５】本開示のいくつかの態様による、ワイヤレスデバイスによって実行され得る例示的な動作についての状態遷移図。
【図６】本開示のいくつかの態様による、送信電力制御のための、ワイヤレスデバイスによって実装され得る例示的なフロー制御の図。
【図７】本開示のいくつかの態様による技法を利用する時間に応じた送信電力制御を示すグラフ。
【図７Ａ】本開示のいくつかの態様による代替技法を利用する時間に応じた送信電力制御を示す別のグラフ。
【図８】本開示のいくつかの態様による、アップリンクフロー制御のための最大送信電力限界（maximum transmit power limit）を低減するための例示的な動作を示す図。
【図９】本開示のいくつかの態様による技法を利用する時間に応じたアップリンク制御チャネルの送信電力制御を示すグラフ。
【図１０】本開示のいくつかの態様による、ワイヤレスデバイスによって実行され得るアップリンクフロー制御のための例示的な動作を示す図。
【詳細な説明】
【００１４】
ＬＴＥなどの新しい無線アクセス技術は、高データレート（たとえば、ダウンリンク通信で１００Ｍｂｐｓ以上、アップリンク通信で５０Ｍｂｐｓ以上）を可能にし、それによって、より低いデータレートでの従来のデバイスと比較して、ワイヤレスデバイスにおける電力消費を大きくする。さらに、ワイヤレスデバイスがより小さいフォームファクタに向かうにつれて、そのような高データレートは極度の熱問題を生じ得る。これらの理由が、デバイス温度を慎重に監視し、デバイスが損傷するか、またはワイヤレスデバイスのユーザが不快なほど高いタッチ温度を経験する状況が起こらないことを保証する必要を動機付ける。いくつかの態様によれば、プラスチックハウジングのためのアップリンクの限界が５０℃に設定された場合、そのようなワイヤレスデバイスのタッチ温度は、４２℃と５１℃との間にあると予測されていることに留意されたい。
【００１５】
場合によっては、電力増幅器（ＰＡ）は、アップリンク送信から生じる過熱の主要な発生源であり得る。したがって、そのような状態では、ワイヤレスデバイスの温度を下げるために、アップリンク通信のための送信電力を低減するための技法が提供される。本開示のいくつかの態様によれば、ワイヤレスデバイスの１つまたは複数のコンポーネントの温度がある特定のしきい値を超えたとき、温度を下げるために、ワイヤレスデバイスのアップリンク送信電力（たとえば、平均アップリンク送信電力）がスロットリングされ得る。場合によっては、過熱は、フル電力で動作するＰＡに起因するので、ＰＡが高温であるときに、ＵＥ送信電力を制御し、アップリンクチャネルをスロットリングすることによって、温度を下げるための機構が提供される。
【００１６】
アップリンクフロー制御のための他のソリューションは、バッファステータス報告（ＢＳＲ）機構を使用して媒体アクセス制御（ＭＡＣ）レイヤデータレートを低減することを含む。しかしながら、アップリンク制御チャネル（たとえば、物理アップリンク制御チャネル）が高電力で送信されており、過熱の主要な要因である場合、この手法は有効でないことがある。
【００１７】
したがって、いくつかの態様によれば、熱的問題を軽減するために、アップリンクチャネル（たとえば、制御チャネル）のデューティサイクリングによるアップリンクフロー制御のための方法および装置が提供される。いくつかの態様によれば、熱的問題をさらに軽減するために、１つまたは複数のアップリンクチャネルについての最大送信電力限界を低減することによるアップリンクフロー制御のための方法および装置も提供される。
【００１８】
以下の詳細な説明では、熱的問題（たとえば、過熱）に起因するアップリンクスロットリングのための方法について説明するが、以下で与えるいくつかの態様は、たとえば、ワイヤレスデバイスのＣＰＵおよび／またはメモリコンポーネントの過負荷により起こるデータスロットリングシナリオなど、他のデータスロットリングシナリオに適用され得る。同様に、説明のために、「過負荷メトリック」および「温度メトリック」という用語は互換的に使用され得るが、「過負荷メトリック」は、ＣＰＵ過負荷メトリック、メモリ過負荷メトリック、温度メトリック、ならびに他の好適なフィードバックおよび／または性能関係メトリックのうちの少なくとも１つを含み得ることを理解されたい。
【００１９】
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに対して使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、ワイドバンドＣＤＭＡ（Ｗ−ＣＤＭＡ）および低チップレート（ＬＣＲ）を含み、ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡネットワークは、次世代ＵＴＲＡ（Ｅ−ＵＴＲＡ）、ＩＥＥＥ８０２．１１、ＩＥＥＥ８０２．１６、ＩＥＥＥ８０２．２０、フラッシュＯＦＤＭ（登録商標）など、無線技術を実装し得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）と称する団体からの文書に記載されており、ｃｄｍａ２０００は、「第３世代パートナーシッププロジェクト２」（３ＧＰＰ２）と称する団体からの文書に記載されている。明快のために、本技法のいくつかの態様について以下ではＬＴＥに関して説明し、以下の説明の大部分でＬＴＥ用語を使用する。
【００２０】
シングルキャリア変調と周波数領域等化とを利用するシングルキャリア周波数分割多元接続（ＳＣ−ＦＤＭＡ）は、１つの技法である。ＳＣ−ＦＤＭＡは、ＯＦＤＭＡシステムと同様の性能と、本質的に同じ全体的な複雑さとを有する。ＳＣ−ＦＤＭＡ信号は、それの固有のシングルキャリア構造ゆえに、より低いピーク対平均電力比（ＰＡＰＲ：peak-to-average power ratio）を有する。ＳＣ−ＦＤＭＡは、特に、より低いＰＡＰＲが送信電力効率の点でモバイル端末に多大な利益を与えるアップリンク通信において、大きな注目を集めている。それは現在、３ＧＰＰ  Ｌｏｎｇ  Ｔｅｒｍ  Ｅｖｏｌｕｔｉｏｎ（ＬＴＥ）、またはＥｖｏｌｖｅｄ  ＵＴＲＡ、および／またはＬＴＥ  Ａｄｖａｎｃｅｄにおけるアップリンク多元接続方式に関する作業前提である。
【００２１】
アクセスポイント（「ＡＰ」）は、ノードＢ、無線ネットワークコントローラ（「ＲＮＣ」）、ｅノードＢ、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を含むか、それらのいずれかとして実装されるか、あるいはそれらのいずれかとして知られていることがある。
【００２２】
アクセス端末（「ＡＴ」）は、ワイヤレス端末、ユーザ端末、ユーザエージェント、ユーザデバイス、ユーザ機器（「ＵＥ」）、ユーザ局、加入者局、加入者ユニット、移動局、遠隔局、遠隔端末、または何らかの他の用語を含むか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）フォン、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを含み得る。したがって、本明細書で説明する１つまたは複数の態様は、電話（たとえば、セルラー電話またはスマートフォン）、コンピュータ（たとえば、ラップトップ）、ポータブル通信デバイス、ポータブルコンピューティングデバイス（たとえば、個人情報端末）、エンターテインメントデバイス（たとえば、音楽またはビデオデバイス、あるいは衛星ラジオ）、全地球測位システムデバイス、あるいはワイヤレスまたはワイヤード媒体を介して通信するように構成された他の好適なデバイスに組み込まれ得る。いくつかの態様では、ノードはワイヤレスノードである。たとえば、そのようなワイヤレスノードは、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００２３】
図１を参照すると、一態様による多元接続ワイヤレス通信システムが示されている。アクセスポイント１００（ＡＰ）は、複数のアンテナグループ、すなわち、アンテナ１０４および１０６を含むあるアンテナグループと、アンテナ１０８および１１０を含む別のアンテナグループと、アンテナ１１２および１１４を含むさらに別のアンテナグループとを含む。図１では、アンテナグループごとに２つのアンテナのみが示されているが、アンテナグループごとにより多いまたはより少ないアンテナが利用され得る。アクセス端末１１６（ＡＴ）はアンテナ１１２および１１４と通信しており、アンテナ１１２および１１４は、順方向リンク１２０上でアクセス端末１１６に情報を送信し、逆方向リンク１１８上でアクセス端末１１６から情報を受信する。アクセス端末１２２はアンテナ１０６および１０８と通信しており、アンテナ１０６および１０８は、順方向リンク１２６上でアクセス端末１２２に情報を送信し、逆方向リンク１２４上でアクセス端末１２２から情報を受信する。ＦＤＤシステムでは、通信リンク１１８、１２０、１２４および１２６は、通信のための異なる周波数を使用し得る。たとえば、順方向リンク１２０は、逆方向リンク１１８によって使用される周波数とは異なる周波数を使用し得る。
【００２４】
アンテナの各グループ、および／またはアンテナが通信するように設計されたエリアは、しばしば、アクセスポイントのセクタと呼ばれる。各アンテナグループは、アクセスポイント１００によってカバーされるエリアのセクタ中でアクセス端末に通信するように設計され得る。順方向リンク１２０および１２６上の通信では、アクセスポイント１００の送信アンテナは、異なるアクセス端末１１６および１２２に対して順方向リンクの信号対雑音比（ＳＮＲ）を改善するためにビームフォーミングを利用する。また、アクセスポイントが、ビームフォーミングを使用して、それのカバレージ中にランダムに分散されたアクセス端末に送信するほうが、アクセスポイントが単一のアンテナを介してすべてのそれのアクセス端末に送信するよりも、近隣セル中のアクセス端末への干渉が小さくなる。
【００２５】
図２は、ＭＩＭＯシステム２００における（アクセスポイントとしても知られる）送信機システム２１０と（アクセス端末としても知られる）受信機システム２５０との態様のブロック図である。送信機システム２１０において、いくつかのデータストリームについてのトラフィックデータがデータソース２１２から送信（ＴＸ）データプロセッサ２１４に与えられる。
【００２６】
一態様では、各データストリームは、それぞれの送信アンテナを介して送信される。ＴＸデータプロセッサ２１４は、各データストリームのトラフィックデータを、そのデータストリーム用に選択された特定のコーディング方式に基づいてフォーマットし、コーディングし、インターリーブして、コード化データを与える。
【００２７】
各データストリームのコード化データは、ＯＦＤＭ技法を使用してパイロットデータと多重化され得る。パイロットデータは、典型的には、知られている方法で処理される知られているデータパターンであり、チャネル応答を推定するために受信機システムにおいて使用され得る。各データストリームの多重化されたパイロットデータおよびコード化データは、次いで、そのデータストリーム用に選択された特定の変調方式（たとえば、ＢＰＳＫ、ＱＳＰＫ、Ｍ−ＰＳＫ、またはＭ−ＱＡＭ）に基づいて変調（たとえば、シンボルマッピング）されて、変調シンボルが与えられる。各データストリームのデータレート、コーディング、および変調は、プロセッサ２３０によって実行される命令によって決定され得る。
【００２８】
次いで、すべてのデータストリームの変調シンボルがＴＸ  ＭＩＭＯプロセッサ２２０に与えられ、ＴＸ  ＭＩＭＯプロセッサ２２０はさらに（たとえば、ＯＦＤＭの場合）その変調シンボルを処理し得る。ＴＸ  ＭＩＭＯプロセッサ２２０は、次いで、ＮT個の変調シンボルストリームをＮT個の送信機（ＴＭＴＲ）２２２ａ〜２２２ｔに与える。いくつかの態様では、ＴＸ  ＭＩＭＯプロセッサ２２０は、データストリームのシンボルと、シンボルがそこから送信されているアンテナとにビームフォーミング重みを適用する。
【００２９】
各送信機２２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに好適な被変調信号を与える。送信機２２２ａ〜２２２ｔからのＮT個の被変調信号は、次いで、それぞれＮT個のアンテナ２２４ａ〜２２４ｔから送信される。
【００３０】
受信機システム２５０において、送信された被変調信号はＮR個のアンテナ２５２ａ〜２５２ｒによって受信され、各アンテナ２５２からの受信信号は、それぞれの受信機（ＲＣＶＲ）２５４ａ〜２５４ｒに与えられる。各受信機２５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【００３１】
次いで、ＲＸデータプロセッサ２６０が、ＮR個の受信機２５４からＮR個の受信シンボルストリームを受信し、特定の受信機処理技法に基づいて処理して、ＮT個の「検出」シンボルストリームを与える。ＲＸデータプロセッサ２６０は、次いで、各検出シンボルストリームを復調し、デインターリーブし、復号して、データストリームのトラフィックデータを復元する。ＲＸデータプロセッサ２６０による処理は、送信機システム２１０におけるＴＸ  ＭＩＭＯプロセッサ２２０およびＴＸデータプロセッサ２１４によって実行される処理を補足するものである。
【００３２】
プロセッサ２７０は、どのプリコーディング行列を使用すべきかを定期的に決定する。プロセッサ２７０は、行列インデックス部分とランク値部分とを含む逆方向リンクメッセージを作成する。逆方向リンクメッセージは、通信リンクおよび／または受信データストリームに関する様々なタイプの情報を含み得る。逆方向リンクメッセージは、次いで、データソース２３６からいくつかのデータストリームのトラフィックデータをも受信するＴＸデータプロセッサ２３８によって処理され、変調器２８０によって変調され、送信機２５４ａ〜２５４ｒによって調整され、送信機システム２１０に返信される。
【００３３】
送信機システム２１０において、受信機システム２５０からの被変調信号は、アンテナ２２４によって受信され、受信機２２２によって調整され、復調器２４０によって復調され、ＲＸデータプロセッサ２４２によって処理されて、受信機システム２５０によって送信された逆方向リンクメッセージが抽出される。次いで、プロセッサ２３０は、ビームフォーミング重みを決定するためにどのプリコーディング行列を使用すべきかを決定し、次いで、抽出されたメッセージを処理する。
【００３４】
いくつかの態様によれば、受信機システム２５０は、温度メトリックを決定し、生成するように構成された（図３で詳細に説明する）温度モニタをさらに含み得る。いくつかの態様によれば、受信機システム２５０のプロセッサ２７０は、温度メトリックに基づいて送信機２５４ａ〜２５４ｒの送信電力を変更するように構成され得る。プロセッサ２７０は、送信機２５４ａ〜２５４ｒの送信電力を周期的に変更するのを支援する１つまたは複数のタイマーをさらに含み得る。いくつかの態様によれば、プロセッサ２７０は、ＲＸデータプロセッサ２６０によって処理されるメッセージに対応する１つまたは複数の確認応答メッセージ（たとえば、ＨＡＲＱ  ＡＣＫ／ＮＡＣＫ）を送信しないようにアップリンク制御チャネル送信を変更し得る。
【００３５】
概して、論理チャネルは、制御チャネルとトラフィックチャネルとに分類されることを理解されたい。論理制御チャネルは、システム制御情報をブロードキャストするためのＤＬチャネルであるブロードキャスト制御チャネル（ＢＣＣＨ）と、ページング情報を転送するＤＬチャネルであるページング制御チャネル（ＰＣＣＨ）と、１つまたは複数のＭＴＣＨのためのマルチメディアブロードキャストおよびマルチキャストサービス（ＭＢＭＳ）スケジューリングおよび制御情報を送信するために使用されるポイントツーマルチポイントＤＬチャネルであるマルチキャスト制御チャネル（ＭＣＣＨ）とを含む。概して、ＲＲＣ接続を確立した後、このチャネルは、ＭＢＭＳ（注：旧ＭＣＣＨ＋ＭＳＣＨ）を受信するＵＥによってのみ使用される。専用制御チャネル（ＤＣＣＨ）は、専用制御情報を送信するポイントツーポイント双方向チャネルであり、ＲＲＣ接続を有するＵＥによって使用される。一態様では、論理トラフィックチャネルは、ユーザ情報を転送するための１つのＵＥに専用のポイントツーポイント双方向チャネルである専用トラフィックチャネル（ＤＴＣＨ）を含む。また、マルチキャストトラフィックチャネル（ＭＴＣＨ）は、トラフィックデータを送信するためのポイントツーマルチポイントＤＬチャネルである。
【００３６】
さらに、トランスポートチャネルは、ＤＬとＵＬとに分類されることを理解されたい。ＤＬトランスポートチャネルは、ブロードキャストチャネル（ＢＣＨ）と、ダウンリンク共有データチャネル（ＤＬ−ＳＤＣＨ）と、ＵＥ節電（不連続受信（ＤＲＸ）サイクルがネットワークによってＵＥに示される）をサポートするためのページングチャネル（ＰＣＨ）とを含み、これらのチャネルは、セル全体にわたってブロードキャストされ、他の制御／トラフィックチャネルのために使用され得るＰＨＹリソースにマッピングされる。ＵＬトランスポートチャネルは、ランダムアクセスチャネル（ＲＡＣＨ）と、要求チャネル（ＲＥＱＣＨ）と、アップリンク共有データチャネル（ＵＬ−ＳＤＣＨ）と、複数のＰＨＹチャネルとを含む。ＰＨＹチャネルは、ＤＬチャネルとＵＬチャネルとのセットを含む。
【００３７】
ＤＬ  ＰＨＹチャネルは以下を含む。
【００３８】
共通パイロットチャネル（ＣＰＩＣＨ）
同期チャネル（ＳＣＨ）
共通制御チャネル（ＣＣＣＨ）
共有ＤＬ制御チャネル（ＳＤＣＣＨ）
マルチキャスト制御チャネル（ＭＣＣＨ）
共有ＵＬ割当てチャネル（ＳＵＡＣＨ）
確認応答チャネル（ＡＣＫＣＨ）
ＤＬ物理共有データチャネル（ＤＬ−ＰＳＤＣＨ）
ＵＬ電力制御チャネル（ＵＰＣＣＨ）
ページングインジケータチャネル（ＰＩＣＨ）
負荷インジケータチャネル（ＬＩＣＨ）
ＵＬ  ＰＨＹチャネルは以下を含む。
【００３９】
物理ランダムアクセスチャネル（ＰＲＡＣＨ）
チャネル品質インジケータチャネル（ＣＱＩＣＨ）
確認応答チャネル（ＡＣＫＣＨ）
アンテナサブセットインジケータチャネル（ＡＳＩＣＨ）
共有要求チャネル（ＳＲＥＱＣＨ）
ＵＬ物理共有データチャネル（ＵＬ−ＰＳＤＣＨ）
ブロードバンドパイロットチャネル（ＢＰＩＣＨ）
本文書では、以下の略語が適用される。
【００４０】
ＡＣＫ  確認応答
ＡＭ  確認応答モード
ＡＭＤ  確認応答モードデータ
ＡＲＱ  自動再送要求
ＢＣＣＨ  ブロードキャスト制御チャネル
ＢＣＨ  ブロードキャストチャネル
ＢＷ  帯域幅
Ｃ−  制御−
ＣＢ  競合ベース
ＣＣＥ  制御チャネル要素
ＣＣＣＨ  共通制御チャネル
ＣＣＨ  制御チャネル
ＣＣＴｒＣＨ  コード化複合トランスポーチャネル
ＣＤＭ  符号分割多重
ＣＦ  無競合
ＣＰ  サイクリックプレフィックス
ＣＱＩ  チャネル品質インジケータ
ＣＲＣ  サイクリック冗長検査
ＣＲＳ  共通基準信号
ＣＴＣＨ  共通トラフィックチャネル
ＤＣＣＨ  専用制御チャネル
ＤＣＨ  専用チャネル
ＤＣＩ  ダウンリンク制御情報
ＤＬ  ダウンリンク
ＤＲＳ  専用基準信号
ＤＳＣＨ  ダウンリンク共有チャネル
ＤＳＰ  デジタル信号プロセッサ
ＤＴＣＨ  専用トラフィックチャネル
Ｅ−ＣＩＤ  拡張セル識別
ＥＰＳ  発展型パケットシステム
ＦＡＣＨ  順方向リンクアクセスチャネル
ＦＤＤ  周波数分割複信
ＦＤＭ  周波数分割多重
ＦＳＴＤ  周波数切替え送信ダイバーシティ
ＨＡＲＱ  ハイブリッド自動再送／要求
ＨＷ  ハードウェア
ＩＣ  干渉消去
Ｌ１  レイヤ１（物理レイヤ）
Ｌ２  レイヤ２（データリンクレイヤ）
Ｌ３  レイヤ３（ネットワークレイヤ）
ＬＩ  長さインジケータ
ＬＬＲ  対数尤度比
ＬＳＢ  最下位ビット
ＭＡＣ  媒体アクセス制御
ＭＢＭＳ  マルチメディアブロードキャストマルチキャストサービス
ＭＣＣＨ  ＭＢＭＳポイントツーマルチポイント制御チャネル
ＭＭＳＥ  最小平均２乗誤差ＭＲＷ  移動受信ウィンドウ
ＭＳＢ  最上位ビット
ＭＳＣＨ  ＭＢＭＳポイントツーマルチポイントスケジューリングチャネル
ＭＴＣＨ  ＭＢＭＳポイントツーマルチポイントトラフィックチャネル
ＮＡＣＫ  否定応答
ＰＡ  電力増幅器
ＰＢＣＨ  物理ブロードキャストチャネル
ＰＣＣＨ  ページング制御チャネル
ＰＣＨ  ページングチャネル
ＰＣＩ  物理セル識別子
ＰＤＣＣＨ  物理ダウンリンク制御チャネル
ＰＤＵ  プロトコルデータユニット
ＰＨＩＣＨ  物理ＨＡＲＱインジケータチャネル
ＰＨＹ  物理レイヤ
ＰｈｙＣＨ  物理チャネル
ＰＭＩ  プリコーディング行列インジケータ
ＰＲＡＣＨ  物理ランダムアクセスチャネル
ＰＳＳ  １次同期信号
ＰＵＣＣＨ  物理アップリンク制御チャネル
ＰＵＳＣＨ  物理アップリンク共有チャネル
ＱｏＳ  サービス品質
ＲＡＣＨ  ランダムアクセスチャネル
ＲＢ  リソースブロック
ＲＬＣ  無線リンク制御
ＲＲＣ  無線リソース制御
ＲＥ  リソース要素
ＲＩ  ランクインジケータ
ＲＮＴＩ  無線ネットワーク一時識別子
ＲＳ  基準信号
ＲＴＴ  ラウンドトリップ時間
Ｒｘ  受信
ＳＡＰ  サービスアクセスポイント
ＳＤＵ  サービスデータユニット
ＳＦＢＣ  空間周波数ブロックコード
ＳＨＣＣＨ  共有チャネル制御チャネル
ＳＩＮＲ  信号対干渉雑音比
ＳＮ  シーケンス番号
ＳＲ  スケジューリング要求
ＳＲＳ  サウンディング基準信号
ＳＳＳ  ２次同期信号
ＳＵ−ＭＩＭＯ  シングルユーザ多入力多出力
ＳＵＦＩ  スーパーフィールド
ＳＷ  ソフトウェア
ＴＡ  タイミングアドバンス
ＴＣＨ  トラフィックチャネル
ＴＤＤ  時分割複信
ＴＤＭ  時分割多重
ＴＦＩ  トランスポートフォーマットインジケータ
ＴＰＣ  送信電力制御
ＴＴＩ  送信時間間隔
Ｔｘ  送信
Ｕ−  ユーザ−
ＵＥ  ユーザ機器
ＵＬ  アップリンク
ＵＭ  非確認応答モード
ＵＭＤ  非確認応答モードデータ
ＵＭＴＳ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ
ＵＴＲＡ  ＵＭＴＳ地上波無線アクセス
ＵＴＲＡＮ  ＵＭＴＳ地上波無線アクセスネットワーク
ＶＯＩＰ  ボイスオーバインターネットプロトコル
ＭＢＳＦＮ  マルチキャストブロードキャスト単一周波数ネットワーク
ＭＣＨ  マルチキャストチャネル
ＤＬ−ＳＣＨ  ダウンリンク共有チャネル
ＰＤＣＣＨ  物理ダウンリンク制御チャネル
ＰＤＳＣＨ  物理ダウンリンク共有チャネル
アップリンク送信電力バックオフを使用する熱的軽減
上記で説明したように、ＬＴＥなどの高度ワイヤレス技術によって指定された高データレートをサポートするユーザ機器（ＵＥ）は、フル電力で動作する１つまたは複数のコンポーネント（たとえば、電力増幅器）に起因する過熱問題を有し得る。いくつかの態様によれば、熱的問題を軽減するために、アップリンク送信電力バックオフのための方法および技法が提供される。
【００４１】
いくつかの態様によれば、限定はしないが、アップリンク制御チャネル（たとえば、物理アップリンク制御チャネル（ＰＵＣＣＨ））とアップリンクデータチャネル（たとえば、物理アップリンク共有チャネル（ＰＵＳＣＨ））と基準信号（たとえば、サウンディング基準信号（ＳＲＳ））とを含むすべてのアップリンクチャネルについての送信電力は、アップリンク送信の最大送信電力限界（ＭＴＰＬ）にバックオフ値を適用することによって低減され得る。いくつかの態様によれば、アップリンク制御チャネル（たとえば、ＰＵＣＣＨ）についての送信電力は、アップリンク制御チャネルのみに電力バックオフを適用することによって、または、一実装形態では、ＰＵＣＣＨ送信のためのデューティサイクルを適用することによって低減され得る。
【００４２】
図３に、図１に示したワイヤレス通信システム内で採用され得るワイヤレスデバイス３０２において利用され得る様々なコンポーネントを示す。ワイヤレスデバイス３０２は、熱的問題を軽減するために、アップリンクフロー制御のための本明細書で説明する様々な方法を実装するように構成され得るデバイスの一例である。ワイヤレスデバイス３０２は、図１のユーザ端末１１６および１２２、または図２の受信機システム２５０のいずれかであり得るが、以下の詳細な説明では、ワイヤレスデバイス３０２をＵＥ３０２と互換的に呼ぶことがある。
【００４３】
ワイヤレスデバイス３０２は、ワイヤレスデバイス３０２の動作を制御するプロセッサ３０４を含み得る。プロセッサ３０４は中央処理ユニット（ＣＰＵ）と呼ばれることもある。ワイヤレスデバイス３０２の様々なコンポーネントは、データバスに加えて、電力バスと、制御信号バスと、ステータス信号バスとを含み得る、バスシステム３２２によって互いに結合され得る。読取り専用メモリ（ＲＯＭ）とランダムアクセスメモリ（ＲＡＭ）の両方を含み得るメモリ３０６は、命令とデータとをプロセッサ３０４に与える。メモリ３０６の一部分は、また、不揮発性ランダムアクセスメモリ（ＮＶＲＡＭ）をも含み得る。ただし、追加および／または他のメモリが採用され得る。プロセッサ３０４は、一般に、メモリ３０６内に記憶されたプログラム命令に基づいて論理演算と算術演算とを実行する。メモリ３０６中の命令は、本明細書で説明する方法を実装するように実行可能であり得る。
【００４４】
ワイヤレスデバイス３０２はまた、ワイヤレスデバイス３０２と遠隔ロケーションとの間のデータの送信および受信を可能にするために送信機３１０と受信機３１２とを含み得るハウジング３０８を含むことができる。送信機３１０と受信機３１２とは組み合わされてトランシーバ３１４になり得る。単一または複数の送信アンテナ３１６が、ハウジング３０８に取り付けられ、トランシーバ３１４に電気的に結合され得る。ワイヤレスデバイス３０２はまた、複数の送信機、複数の受信機、複数のトランシーバを含み得る（図示せず）。
【００４５】
ワイヤレスデバイス３０２はまた、トランシーバ３１４によって受信された信号のレベルを検出および／または定量化するために使用され得る信号検出器３１８を含み得る。信号検出器３１８は、総エネルギー、シンボルごとのサブキャリア当たりのエネルギー、電力スペクトル密度および／または他の信号などの信号を検出し得る。ワイヤレスデバイス３０２はまた、信号を処理する際に使用するためのデジタル信号プロセッサ（ＤＳＰ）３２０を含み得る。
【００４６】
いくつかの態様によれば、プロセッサ３０４は、温度モニタ３３２から１つまたは複数の信号を受信するように構成された集中型フロー制御マネージャ（ＣＦＭ：centralized flow-control manager）３３０を含み得る。温度モニタ３３２は、ワイヤレスデバイス３０２の１つまたは複数のコンポーネント（たとえば、電力増幅器（図示せず））の温度を測定するように構成される。いくつかの態様によれば、温度モニタは、ＣＦＭ３３０に、本明細書で説明するアップリンクフロー制御技法を実行するための対応する温度メトリック信号を与え得る。ＣＦＭ３３０は、温度メトリック信号（たとえば、「正常（Normal）」、「軽減（Mitigation）」）を受信したことに応答して、フロー制御信号（たとえば、ＵＰ、ＤＯＷＮ）を用いてＲＡＴ固有のフロー制御エンティティに命令する。たとえば、いくつかの態様によれば、ＣＦＭ３３０は、温度メトリック信号に基づいてアップリンク送信のためのトランシーバ３１４（たとえば、ＬＴＥレイヤ１コンポーネント）の送信電力を変更し得る。一実装形態では、ＣＦＭ３３０は、送信アンテナ３１６による送信より前にトランシーバ３１４の１つまたは複数のコンポーネント（たとえば、電力増幅器）のアップリンクチャネル送信電力を低減し得る。
【００４７】
モニタは、図３において温度モニタ３３２として示されているが、本開示のいくつかの態様は、限定はしないが、１つまたは複数の過負荷メトリックを検出するための１つまたは複数の対応するセンサコンポーネントを有する、ＣＰＵモニタおよびメモリモニタを含む、他の好適なモニタを利用し得ることが企図される。
【００４８】
いくつかの態様によれば、温度モニタ３３２は、図３において単一のコンポーネントとして示されているが、温度モニタ３３２は、各センサコンポーネントがワイヤレスデバイス３０２の対応するコンポーネントに結合された（たとえば、熱的に結合された）、複数のセンサコンポーネントを含み得ることが企図される。いくつかの態様によれば、温度モニタ３３２は、表１において定義されている異なる温度「サブシステム」を含み得る。したがって、温度モニタ３３２は、ＵＥ内の複数のコンポーネントの温度および／またはＵＥ３０２の複数の領域の温度を測定するように構成され得る。いくつかの態様によれば、温度モニタ３３２は、ＵＥの電力増幅器の温度を測定するセンサを含む。  
【表１】
0005815865.tif 000002
【００４９】
図４は、本開示のいくつかの態様による、様々な温度と、温度モニタ３３２の対応する状態とを示すグラフである。いくつかの態様によれば、温度モニタ３３２は、複数のモニタ状態を利用するように構成され、温度モニタ３３２は、上記で説明した温度センサのうちの１つまたは複数からの示度に基づいて状態を変化させる。
【００５０】
いくつかの態様によれば、温度モニタ３３２は、４つの状態、すなわち、正常状態４０２、軽減状態４０４、送信（ＴＸ）バックオフ状態４０６、および非常状態４０８のうちの１つであり得る。図４に示すように、これらの４つの状態の領域は、対応するしきい値（たとえば、軽減しきい値４１４、ＴＸバックオフしきい値４１６、および非常しきい値４１８）によって制御され得る。いくつかの態様によれば、しきい値は、あらかじめ決定され得るか、または、ＵＥ３０２の動作中に設定可能であり得る。いくつかの態様によれば、モニタ状態のうちのいずれかの間でスムーズに遷移するように、ヒステリシス値が、しきい値４１４、４１６、４１８のうちのいずれかと組み合わせて利用され得る。
【００５１】
いくつかの態様によれば、温度モニタ３３２は、ＣＦＭに、あらゆる状態変化時に新しい状態をＣＦＭに通知するための指示を送り、登録時に現在の状態をＣＦＭに通知するための指示を送ることができる。いくつかの態様によれば、温度モニタ３３２が軽減状態４０４にあるときには、ＵＥ３０２の温度を下げるために、１つまたは複数のアップリンクフロー制御技法および他の既知の方法が利用され得る。いくつかの態様によれば、温度モニタ３３２が、ＴＸバックオフしきい値４１６を超える温度を決定するときには、温度モニタは、ＣＦＭ３３０に、設定可能な量だけＵＥ３０２の送信電力を低減するようにとの指示を送り得る。
【００５２】
図５に、本開示のいくつかの態様による、ワイヤレスデバイスによって実行され得る例示的な動作についての状態遷移図５００を示す。状態遷移図５００は、本明細書で説明する技法の特定の一実装形態を表し、本明細書で提供する方法およびプロシージャを実行するために他の実装形態が生み出され得ることが企図される。
【００５３】
いくつかの態様によれば、ＣＦＭ３３０は、図５に示す複数の状態５００を利用してフロー制御アクティビティを制御および管理するように構成され得る。言い換えれば、ＣＦＭ３３０は、フロー制御技法がＣＦＭ３３０の各様々な状態において適用され得るかどうかを決定し、そうである場合、どの技法が適用され得るかを決定する。さらに、いくつかの態様によれば、ＣＦＭ３３０は、上記で説明したように温度モニタ３３２の状態を維持し、それに応じてアップリンクフロー制御に関する決定を行い得る。各状態におけるＣＦＭの挙動について、以下で説明する。
【００５４】
概して、いくつかの態様によれば、ＣＦＭ３３０が、温度モニタ３３２から、モニタ３３２が正常状態４０２から軽減状態４０４および／またはＴＸバックオフ状態４０６に遷移したという指示を受信したとき、ＣＦＭ３３０は、１つまたは複数のコンポーネント（たとえば、電力増幅器）にコマンド（たとえば、ＤＯＷＮ）を送信し得る。いくつかの態様によれば、ＣＦＭ３３０が、温度モニタ３３２が軽減状態４０４および／またはＴＸバックオフ状態４０６から正常状態４０２に遷移したという指示を受信したとき、ＣＦＭ３３０は、１つまたは複数のコンポーネント（たとえば、電力増幅器）にコマンド（たとえば、ＵＰ）を送信し得る。
【００５５】
図５に示すように、ＣＦＭ３３０は、アップリンクフロー制御が必要とされないことがある、デフォルト状態または正常状態５０２において動作を開始し得る。いくつかの態様によれば、ＣＦＭ３３０が、温度モニタが軽減状態４０４にあると決定した場合、ＣＦＭは、ＤＯＷＮコマンドを発行し、軽減ダウン（Mitigation-Down）状態５０４に遷移する。「ＤＯＷＮ」という用語は、本明細書では概して、低減された送信電力および／またはデータレートならびに／あるいはバックオフされた送信電力および／またはデータレートに対応する時間期間を表すために使用され、「ＵＰ」という用語は、概して、回復された送信電力および／またはデータレート、フルの送信電力および／またはデータレート、ならびに／あるいは増加した送信電力および／またはデータレートの期間を表すために使用されることに留意されたい。
【００５６】
いくつかの態様によれば、ＣＦＭ３３０は、本開示のいくつかの態様による送信電力バックオフ技法を実装するように構成される。いくつかの態様によれば、１つまたは複数のトランシーバコンポーネントについての（たとえば、電力増幅器についての）最大送信電力限界（ＭＴＰＬ）にバックオフ値を適用することによって、すべてのアップリンクチャネル（たとえば、ＰＵＣＣＨ、ＰＵＳＣＨ、ＳＲＳなど）についての送信電力を低減するための技法が利用され得る。いくつかの態様によれば、アップリンク制御チャネル（たとえば、ＰＵＣＣＨ）のみにバックオフ値を適用するか、または一実装形態では、デューティサイクルＰＵＣＣＨ送信にバックオフ値を適用するための技法が利用され得る。
【００５７】
いくつかの態様によれば、ＣＦＭは、アップリンクフロー制御プロセスを管理および／または変更するためにコマンド（たとえば、ＤＯＷＮコマンドおよび／またはＵＰコマンド）を発行し得る。いくつかの態様によれば、ＣＦＭは、１つまたは複数のバックオフ値を変更することによってアップリンク制御プロセスをさらにスロットリングするためにＤＯＷＮコマンドおよび／またはＵＰコマンドを発行し得る。図示のように、ＣＦＭは、ワイヤレスデバイスの全体的な送信電力を低減するために、軽減ダウン（Mitigation-down）５０４状態と軽減アップ（Mitigation-up）５０６状態との間で周期的に循環し、それによって熱的過熱問題を軽減し得る。図示のように、ＣＦＭは、いつ最大レベルに到達したかを決定し、正常状態５０２に戻るように構成され得る。
【００５８】
図６は、本開示のいくつかの態様による、送信電力制御のための、ワイヤレスデバイスによって実装され得る例示的なフロー制御である。上記で説明したように、６０２において、温度モニタは、１つまたは複数のセンサによって測定された温度が送信バックオフしきい値を超えたと決定し、送信バックオフ状態に遷移し、６０４において、送信バックオフ状態への状態の変化をＣＦＭに通知する。
【００５９】
図示のように、６０６において、ＣＦＭは、温度モニタ３３２が送信バックオフ状態に遷移したという指示を受信し、１つまたは複数の無線コンポーネント（たとえば、ＬＴＥレイヤ１コンポーネント）にＤＯＷＮコマンドを与え、ステップタイマーを開始する。図示のように、６０８において、ＤＯＷＮコマンドを受信したことに応答して、１つまたは複数の無線コンポーネントは、設定可能なバックオフ値だけ最大送信電力限界を低減する。いくつかの態様によれば、アップリンクフロー制御を行うために、ＭＴＰＬを含む他の好適な送信電力値が利用され得る。一実装形態によれば、ステップタイマーが満了すると、ＭＴＰＬは前の値（たとえば、フル電力）に回復され得る。別の実装形態によれば、ＭＴＰＬは、ＣＦＭからのコマンドを介してさらに変更されるまで、低減された値のままであり得る。
【００６０】
図示のように、６１０において、温度モニタは、１つまたは複数のセンサによって測定された温度が送信バックオフしきい値をもはや超えないと決定し、正常状態に遷移し、６１２において、状態の変化をＣＦＭに通知する。図示のように、６１２において、ＣＦＭは、温度モニタが正常状態に遷移したという指示を受信し、したがって、アップリンクフロー制御はもはや必要とされない。ＣＦＭは、ＵＰコマンドを１つまたは複数の無線コンポーネント（たとえば、ＬＴＥレイヤ１）に与える。６１４において、ＵＰコマンドを受信したことに応答して、１つまたは複数の無線コンポーネント（たとえば、ＬＴＥレイヤ１）は、上記で説明したバックオフ値だけＭＴＰＬを増加させる。
【００６１】
図７は、本開示のいくつかの態様による技法を利用する時間に応じた送信電力制御を示すグラフである。図示のように、送信電力バックオフフロー制御がアクティブにされたとき（たとえば、ＤＯＷＮコマンドがＣＦＭから受信されたとき）、最大送信電力限界（ＭＴＰＬ）は、設定可能なバックオフ値（たとえば、Ｐ＿ｂａｃｋｏｆｆ）だけ低減される。図示の例では、送信電力は、Ｔ＿ｕｐタイマーとＴ＿ｄｏｗｎタイマーとに基づいて周期的に低減され得る。言い換えれば、送信電力は、Ｔ＿ｄｏｗｎタイマーによって表される持続時間にわたって低減され得る。Ｔ＿ｄｏｗｎタイマーが満了すると、ＭＴＰＬは、それの前の値（たとえば、図示のＰ＿ｍａｘ）に回復され得る。
【００６２】
温度モニタが、ステップタイマーの満了後に送信バックオフ状態のままである場合、バックオフ値（たとえば、Ｐ＿ｂａｃｋｏｆｆ）は、ＵＥの熱的過熱問題をさらに軽減するために増加され得る。図示の例では、バックオフ値は、倍率（multiplicative factor）（たとえば、×２）だけ増加され得る。図示のように、ＭＴＰＬは、２×Ｐ＿ｂａｃｋｏｆｆ値だけ周期的に低減され得る。いくつかの態様によれば、ｓｔｅｐ＿ｔｉｍｅｒが満了するたびに倍率は増加し得る。いくつかの態様によれば、バックオフ値（たとえば、Ｐ＿ｂａｃｋｏｆｆ）は、ｓｔｅｐ＿ｔｉｍｅｒが満了するたびに所定のステップ値だけ増分的・段階的に増加され得る。いくつかの態様によれば、設定可能な最小送信電力値（たとえば、Ｐ＿ｍｉｎ）は、ＭＴＰＬが最小値未満に低減されないことを保証するために利用され得る。
【００６３】
詳細な説明の目的で、変更される送信電力は最大送信電力限界であるが、他の好適な送信電力設定が、本明細書で説明する技法に従って変更され得ることが企図される。
【００６４】
図７Ａは、本開示のいくつかの態様による代替技法を利用する時間に応じた送信電力制御を示す別のグラフである。図示のように、図７において説明した技法と同様に、送信電力バックオフフロー制御がアクティブにされたとき（たとえば、ＤＯＷＮコマンドがＣＦＭから受信されたとき）、７５０において、最大送信電力限界（ＭＴＰＬ）は、設定可能なバックオフ値（たとえば、Ｐ＿ｂａｃｋｏｆｆ）だけ低減され得る。しかしながら、図７Ａに示す例では、ステップタイマーが満了すると、ＭＴＰＬは、フル電力に回復されるのではなく、低減された値のままであり得る。
【００６５】
図示の例では、ＰＡ温度が、温度モニタを正常状態に遷移させるために十分に低減されたという指示が温度モニタから受信されるまで、ＭＴＰＬは、各ステップタイマーの満了時に増分方式でさらに低減され得る。図示のように、７５２において、ＰＡ温度が正常状態に遷移したことを示すＵＰコマンドがＣＦＭから受信される。図示のように、少なくとも別のＤＯＷＮコマンドが受信されるか、またはフル電力（たとえば、Ｐ＿ｍａｘ）が回復されるまで、ＭＴＰＬは、各ステップタイマーの満了時に増分的に増加され得る。
【００６６】
図８に、本開示のいくつかの態様による、アップリンクフロー制御のための最大送信電力限界を低減するための例示的な動作を示す。図８は、たとえば、ＣＦＭ３３０が上記で説明した軽減ダウン状態にあるときに、ＣＦＭ３３０によって実装され得る１つの例示的なアルゴリズム８００を示している。図８に示すように、軽減状態に入ると、ＣＦＭは反復カウンタ（たとえば、ｎ）を１に初期化し得る。ＣＦＭは、次いで、ステップタイマーを開始し得る。ステップタイマーは、フロー制御プロセスのより粒度の細かい制御のために変更され得る設定可能な時間期間を含む。
【００６７】
図示のように、ＣＦＭは、反復カウンタ（たとえば、ｎ）を乗算されたバックオフ値（たとえば、ＴＸバックオフ）だけＭＴＰＬを低減し得る。ＣＦＭは、その間にＭＴＰＬが低減された値を有するダウン時間期間を示すダウンタイマーを開始し得る。ダウンタイマーが満了したと決定されるまでＣＦＭはループし、ダウンタイマーが満了したと決定された時点で、ＣＦＭは、ＭＴＰＬに対する制限を取り除き（たとえば、低減された値をそれの前の値に回復し）、ダウンタイマーを停止し、アップタイマーを開始する。いくつかの態様によれば、アップタイマーは、その間にＭＴＰＬがアップリンクフロー制御プロセスによって影響を受けないアップ時間期間を示す。次いで、アップタイマーが満了したと決定されるまでＣＦＭはループし、アップタイマーが満了したと決定された時点で、ＣＦＭは、上記で決定されたバックオフ値だけＭＴＰＬを低減する。したがって、ＣＦＭは、ステップタイマーの満了まで、それぞれ、ダウン期間およびアップ期間中にＭＴＰＬを周期的に低減し、回復し続ける。
【００６８】
図示のように、ＣＦＭは、追加の倍率（たとえば、ｎ＋１）だけＭＴＰＬをさらに低減することが、最小電力トランジット限界（たとえば、Ｐ＿ｍｉｎ）に違反することになるかどうかを決定し得る。ＣＦＭが、さらなる低減が最小電力を超えるであろうと決定した場合、ＣＦＭは、バックオフ値をさらには変更せず、ステップタイマーを再開するためにループし、現在の送信バックオフ値だけＭＴＰＬを低減し、回復し続け得る。ＣＦＭが、さらなる低減が最小電力を超えないであろうと決定した場合、ＣＦＭは、反復カウンタを増分し（たとえば、ｎ＝ｎ＋１）、ステップタイマーを再開するためにループし、増加した送信バックオフ値だけＭＴＰＬを低減し得る。
【００６９】
いくつかの態様によれば、ＭＴＰＬを低減することにより、すべてのアップリンクチャネルがより低い電力レベルで送信されることになる。他の既知のアップリンクフロー制御手法が高いアップリンクデータチャネル（すなわち、ＰＵＳＣＨ）電力を制御し得るので、本明細書で説明する送信電力バックオフを使用するための１つの主要な使用事例は、高いアップリンク制御チャネル（たとえば、ＰＵＣＣＨ）電力に対してワイヤレスデバイスを保護することであることが判断されている。通常、アップリンク制御チャネル（たとえば、ＰＵＣＣＨ）は、アップリンクデータチャネル（たとえば、ＰＵＳＣＨ）よりもはるかに低い電力レベルで送信され得る。
【００７０】
たとえば、ＵＥがセルエッジの近くに位置し、あらゆる送信時間間隔（ＴＴＩ）においてダウンリンクデータを受信しており、それにより、ＵＥが、アップリンク制御チャネル（たとえば、ＰＵＣＣＨ）を使用して、受信されたダウンリンクデータについての確認応答メッセージ（たとえば、ＨＡＲＱ  ＡＣＫ／ＮＡＣＫ）を返信しなければならなくなるシナリオについて考える。さらに、アップリンクデータチャネル（たとえば、ＰＵＳＣＨ）電力が２３ｄＢｍに設定され、アップリンク制御チャネル（たとえば、ＰＵＣＣＨ）電力が１０ｄＢｍに設定されると仮定する。したがって、アップリンク制御チャネル（たとえば、ＰＵＣＣＨ）電力を特定の値、たとえば、３ｄＢだけ、１０ｄＢから７ｄＢに低減するために上記で説明した送信電力バックオフプロセスを利用するため、ＣＦＭは、１６ｄＢだけアップリンクデータチャネル（たとえば、ＰＵＳＣＨ）電力を減少させることになる値（たとえば、７ｄＢ）までＭＴＰＬを低減しなければならなくなる。アップリンクデータチャネルのそのような著しい減少は、呼の切断または他のデータ損失を生じ得る。
【００７１】
アップリンクデータチャネル（たとえば、ＰＵＳＣＨ）を犠牲にすることを回避するために、アップリンク制御チャネル（たとえば、ＰＵＣＣＨ）をデューティサイクルさせるための別の手法が利用され得る。この場合、アップリンク制御チャネル（たとえば、ＰＵＣＣＨ）上のダウンリンクデータについての１つまたは複数の確認応答メッセージ（たとえば、ＨＡＲＱ  ＡＣＫ／ＮＡＣＫ）は特定の間隔中には送信されないことになる。ＵＥは、「オン期間」中に確認応答メッセージ（たとえば、ＡＣＫ）を送ることが可能である。この手法はＨＡＲＱ再送信をトリガし得る。すべての数のＨＡＲＱ再送信が使い果たされ、基地局がＡＣＫ／ＮＡＣＫを受信しない場合、基地局は次のデータパケットに移動し得る。しかしながら、ＵＥは、受信したデータパケットを上位レイヤに渡し、それによって、不要な再送信を防ぐために、上位レイヤにおいて確認応答（たとえば、無線リンク制御確認応答）をトリガすることができる。
【００７２】
図９は、本開示のいくつかの態様による技法を利用する時間に応じたアップリンク制御チャネルの送信電力制御を示すグラフである。ＰＵＣＣＨのデューティサイクリングを実装するアルゴリズムの例示的な経路を図９に示す。いくつかの態様によれば、基本プロセスは、上記で説明したＭＴＰＬアルゴリズムと同様であるが、バックオフ電力値を変更するのではない点が異なり、ＵＥは、ステップタイマーが満了したときはいつでも、「オフ期間」の持続時間を増加させ得る。
【００７３】
図示のように、初期状態において、ＵＥは、フル電力（たとえば、ＰＵＣＣＨデフォルト電力）でアップリンクチャネルのうちの１つまたは複数（たとえば、データと制御の両方）を送信し得る。アップリンク制御チャネル（たとえば、ＰＵＣＣＨ）を送信するために指定された時間期間中に、ＣＦＭは、その間にアップリンク制御チャネル（たとえば、ＰＵＣＣＨ）の一部分が送信されないことがある（たとえば、デューティサイクリングＰＵＣＣＨ）ダウン時間期間を示す（たとえば、図９においてＴ＿ｄｏｗｎとして示される）ダウンタイマーを開始し得る。いくつかの態様によれば、ダウンタイマー中に、ＵＥは、ＰＵＣＣＨ上で受信されたダウンリンクデータについての確認応答メッセージ（たとえば、ＨＡＲＱ  ＡＣＫ／ＮＡＣＫ）を送信しないことがある。いくつかの態様によれば、ＵＥは、限定はしないが、チャネル品質インジケータ（ＣＱＩ）報告を含む、ＰＵＣＣＨの他のタイプのメッセージを送信し続け得ることができる。
【００７４】
ダウンタイマーが満了すると、ＣＦＭは、送信電力をフル電力まで増加させ、その間にＰＵＣＣＨが送信され得るアップ時間期間を表す（たとえば、図９においてＴ＿ｕｐとして示される）アップタイマーを開始し得る。いくつかの態様によれば、ダウンタイマーが満了すると、ＵＥは、ＰＵＣＣＨを送信するために通常指定される時間間隔（たとえば、ＰＵＣＣＨ期間）中にＰＵＣＣＨを送信することを再開し得る。したがって、ＰＵＣＣＨ手法のデューティサイクリングは、ステップタイマーの持続時間にわたってＰＵＣＣＨについての平均送信電力を低減し、それによってアップリンクチャネルに関係する熱的問題を軽減する。
【００７５】
いくつかの態様によれば、ダウンタイマーおよびアップタイマーは、それらの持続時間の和（たとえば、Ｔ＿ｄｏｗｎ＋Ｔ＿ｕｐ）が一定に保たれることを可能にし、アップリンク制御チャネル用に指定された時間期間（たとえば、ＰＵＣＣＨ期間）に等しくなりながら、ＰＵＣＣＨについての平均送信電力を低減するように変更され得る。いくつかの態様では、Ｔ＿ｄｏｗｎの和は、ある時間期間にわたってＴ＿ｕｐに等しい。いくつかの態様によれば、ＰＵＣＣＨデューティサイクルは、ダウンタイマー（たとえば、Ｔ＿ｄｏｗｎ）の持続時間およびアップタイマー（たとえば、Ｔ＿ｕｐ）の持続時間を変更することによって調整され得る。上記で説明したように、ステップタイマーの満了時に、ＣＦＭは、ＵＥの温度が依然としてしきい値を超えており、さらなる軽減を必要とし得ると決定し得る。したがって、ＣＦＭは、ダウンタイマーの持続時間を増加させるための追加のコマンド（たとえば、ＤＯＷＮコマンド）を発行し得る。図示の例では、ダウンタイマーは、倍率（multiplicative power）（たとえば、×２）だけ増加される。
【００７６】
図１０に、本開示のいくつかの態様による、ユーザ機器（ＵＥ）によって実行され得るアップリンクフロー制御のための例示的な動作１０００を示す。動作１０００は、１００２において開始し得、１００２において、ＵＥは、過負荷メトリックが対応するしきい値を超えたかどうかを決定する。いくつかの態様によれば、過負荷メトリックは、ＵＥの１つまたは複数のコンポーネントの温度センサ測定値に対応する温度メトリックである。
【００７７】
１００４において、ＵＥは、過負荷メトリックが対応するしきい値を超えた場合、第１の時間間隔中に少なくとも１つのアップリンクチャネルの送信電力を変更する。いくつかの態様によれば、ＵＥは、第１の時間間隔中に少なくとも１つのアップリンクチャネルの平均送信電力を調整し得る。一実装形態では、少なくとも１つのアップリンクチャネルは、物理アップリンク共有チャネル（ＰＵＳＣＨ）または物理アップリンク制御チャネル（ＰＵＣＣＨ）のうちの少なくとも１つを含む。
【００７８】
いくつかの態様によれば、ＵＥは、第１の時間間隔のオフサイクル期間中に少なくとも１つのアップリンク制御チャネルの少なくとも一部分を選択的に送信しないことによって、第１の時間間隔中に該アップリンク制御チャネルの送信電力を変更し得る。いくつかの態様では、選択的に送信されないアップリンク制御チャネルの一部分は、１つまたは複数の受信パケットに対応する１つまたは複数の確認応答メッセージであり得る。いくつかの態様によれば、ＵＥは、オフサイクル期間の持続時間にわたって、第１の時間間隔中にＰＵＣＣＨの１つまたは複数のＨＡＲＱメッセージを選択的に送信しない。いくつかの態様によれば、ＵＥは、オフサイクル期間が満了すると第１の時間間隔中に少なくとも１つのアップリンク制御チャネルを送信し得る。
【００７９】
いくつかの態様によれば、ＵＥは、第１の時間間隔の満了後に、過負荷メトリックが依然としてしきい値を超えているかどうかを決定し得る。ＵＥは、過負荷メトリックに少なくとも部分的に基づいてオフサイクル期間の持続時間を変更することができ、変更されたオフサイクル期間の持続時間の間、第２の時間間隔中に１つまたは複数の確認応答メッセージを選択的に送信しないことができる。いくつかの態様によれば、ＵＥは、オフサイクル期間の持続時間の間、第１の時間間隔中にアップリンクデータチャネル上で１つまたは複数のパケットに対応する１つまたは複数の無線リンク制御確認応答メッセージを送信し得る。
【００８０】
いくつかの態様によれば、ＵＥは、第１の時間間隔中に少なくとも１つのアップリンクチャネルに関連するＰＡのＭＴＰＬを低減し得る。ＵＥは、設定可能な電力バックオフ値に基づいてＭＴＰＬを低減することによってＭＴＰＬを変更し得る。いくつかの態様によれば、ＵＥは、電力バックオフ値を変更し、次いで、変更された電力バックオフ値に基づいて第２の時間間隔中にＭＴＰＬをさらに変更し得る。いくつかの態様によれば、ＵＥは、第１の時間間隔中に１つまたは複数のダウンタイマー期間中に電力バックオフ値に基づいて少なくとも１つのアップリンクチャネルについてのＭＴＰＬを周期的に低減し得る。いくつかの態様によれば、ＵＥは、第１の時間間隔中に１つまたは複数のアップタイマー期間中に送信電力限界を周期的に回復し得る。
【００８１】
いくつかの態様によれば、ＵＥは、第１の時間間隔の満了後に、過負荷メトリックが依然として対応するしきい値を超えているかどうかを決定し得る。ＵＥは、所定の倍率だけ電力バックオフ値を増加させ、増加した電力バックオフ値に基づいてＭＴＰＬを低減し得る。
【００８２】
上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェアコンポーネントおよび／またはモジュールを含み得る。たとえば、送信するための手段および送信しないための手段は、図２に示した受信機システム２５０（たとえば、ワイヤレス端末）の送信機ユニット２５４など、送信機を含み得るか、または決定するための手段、変更するための手段、増加させるための手段、低減するための手段、回復するための手段、および／または調整するための手段は、図２に示した受信機システム２５０のプロセッサ２７０など、１つまたは複数のプロセッサを含み得る処理システムを含み得る。これらの手段はまた、図３の送信機３１０、集中型フロー制御マネージャ３３０を含むプロセッサ３０４、および／または温度モニタ３３２の任意の好適な組合せを含み得る。
【００８３】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００８４】
さらに、本明細書で開示する態様に関して説明する様々な例示的な論理ブロック、モジュール、回路、およびアルゴリズムステップは、電子ハードウェア、コンピュータソフトウェア、または両方の組合せとして実装され得ることを、当業者なら諒解されよう。ハードウェアとソフトウェアのこの互換性を明確に示すために、様々な例示的なコンポーネント、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈すべきではない。
【００８５】
本明細書で開示する態様に関して説明した様々な例示的な論理ブロック、モジュール、および回路は、本明細書で説明した機能を実行するように設計された汎用プロセッサ、デジタル信号プロセッサ（ＤＳＰ）、ＡＳＩＣ、フィールドプログラマブルゲートアレイ（ＦＰＧＡ）または他のプログラマブル論理デバイス、個別ゲートまたはトランジスタ論理、個別ハードウェアコンポーネント、あるいはそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【００８６】
本明細書で開示する態様に関して説明した方法またはアルゴリズムのステップは、直接ハードウェアで実施され得るか、プロセッサによって実行されるソフトウェアモジュールで実施され得るか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるようにプロセッサに結合される。代替として、記憶媒体はプロセッサに一体化され得る。プロセッサおよび記憶媒体はＡＳＩＣ中に常駐し得る。ＡＳＩＣはユーザ端末内に常駐し得る。代替として、プロセッサおよび記憶媒体は、ユーザ端末中に個別コンポーネントとして常駐し得る。
【００８７】
本明細書で使用する、項目のリスト「のうちの少なくとも１つ」を指す句は、単一のメンバーを含む、それらの項目の任意の組合せを指す。一例として、「ａ、ｂまたはｃのうちの少なくとも１つ」は、ａ、ｂ、ｃ、ａ−ｂ、ａ−ｃ、ｂ−ｃおよびａ−ｂ−ｃを含むものとする。
【００８８】
開示した態様の前述の説明は、当業者が本開示を実施または使用できるように与えたものである。これらの態様への様々な修正は当業者には容易に明らかになり、本明細書で定義した一般原理は、本開示の趣旨または範囲から逸脱することなく他の態様に適用され得る。したがって、本開示は、本明細書に示した態様に限定されるものではなく、本明細書で開示する原理および新規の特徴に一致する最も広い範囲を与えられるべきである。
以下に、出願当初の特許請求の範囲に記載された発明を付記する。
［Ｃ１］
ワイヤレス通信のための方法であって、
過負荷メトリックが対応するしきい値を超えたかどうかを決定することと、
前記過負荷メトリックが前記対応するしきい値を超えた場合、第１の時間間隔のオフサイクル期間中に少なくとも１つのアップリンク制御チャネルの少なくとも一部分を選択的に送信しないことによって、前記第１の時間間隔中に前記アップリンク制御チャネルの送信電力を変更することと
を含む、方法。
［Ｃ２］
前記過負荷メトリックが温度メトリックである、上記Ｃ１に記載の方法。
［Ｃ３］
選択的に送信されない前記アップリンク制御チャネルの前記一部分が、１つまたは複数の受信したパケットに対応する１つまたは複数の確認応答メッセージを含む、上記Ｃ１に記載の方法。
［Ｃ４］
前記送信電力を変更する前記ステップが、
前記オフサイクル期間の持続時間の間、前記第１の時間間隔中に物理アップリンク制御チャネル（ＰＵＣＣＨ）の１つまたは複数のハイブリッド自動再送要求（ＨＡＲＱ）メッセージを選択的に送信しないこと
をさらに含む、上記Ｃ１に記載の方法。
［Ｃ５］
前記オフサイクル期間の満了時に前記第１の時間間隔中に前記少なくとも１つのアップリンク制御チャネルを送信すること
をさらに含む、上記Ｃ１に記載の方法。
［Ｃ６］
前記第１の時間間隔の満了時に、前記過負荷メトリックが依然として前記しきい値を超えていると決定したことに応答して、前記オフサイクル期間の前記持続時間を増加させること
をさらに含む、上記Ｃ１に記載の方法。
［Ｃ７］
前記第１の時間間隔の満了後に、前記過負荷メトリックが依然として前記しきい値を超えているかどうかを決定することと、
前記過負荷メトリックに少なくとも部分的に基づいて前記オフサイクル期間の持続時間を変更することと、
前記変更されたオフサイクル期間の持続時間の間、第２の時間間隔中に１つまたは複数の確認応答メッセージを選択的に送信しないことと
をさらに含む、上記Ｃ１に記載の方法。
［Ｃ８］
前記オフサイクル期間の前記持続時間の間、前記第１の時間間隔中にアップリンクデータチャネル上で１つまたは複数のパケットに対応する１つまたは複数の無線リンク制御確認応答メッセージを送信すること
をさらに含む、上記Ｃ１に記載の方法。
［Ｃ９］
前記送信電力を変更する前記ステップが、
前記第１の時間間隔中に少なくとも１つのアップリンクチャネルに関連する電力増幅器（ＰＡ）の最大送信電力限界（ＭＴＰＬ）を低減すること
をさらに含む、上記Ｃ１に記載の方法。
［Ｃ１０］
変更する前記ステップが、
前記第１の時間間隔中に１つまたは複数のダウンタイマー期間中に電力バックオフ値に基づいて前記少なくとも１つのアップリンクチャネルについての前記ＭＴＰＬを周期的に低減すること
を含む、上記Ｃ９に記載の方法。
［Ｃ１１］
ワイヤレス通信のための装置であって、
過負荷メトリックが対応するしきい値を超えたかどうかを決定するための手段と、
前記過負荷メトリックが前記対応するしきい値を超えた場合、第１の時間間隔のオフサイクル期間中に少なくとも１つのアップリンク制御チャネルの少なくとも一部分を選択的に送信しないことによって、前記第１の時間間隔中に前記アップリンク制御チャネルの送信電力を変更するための手段と
を含む、装置。
［Ｃ１２］
前記過負荷メトリックが温度メトリックである、上記Ｃ１１に記載の装置。
［Ｃ１３］
選択的に送信されない前記アップリンク制御チャネルの前記一部分が、１つまたは複数の受信したパケットに対応する１つまたは複数の確認応答メッセージを含む、上記Ｃ１１に記載の装置。
［Ｃ１４］
前記送信電力を変更するための前記手段が、
前記オフサイクル期間の持続時間の間、前記第１の時間間隔中に物理アップリンク制御チャネル（ＰＵＣＣＨ）の１つまたは複数のハイブリッド自動再送要求（ＨＡＲＱ）メッセージを選択的に送信しないための手段
をさらに含む、上記Ｃ１１に記載の装置。
［Ｃ１５］
前記オフサイクル期間の満了時に前記第１の時間間隔中に前記少なくとも１つのアップリンク制御チャネルを送信するための手段
をさらに含む、上記Ｃ１１に記載の装置。
［Ｃ１６］
前記第１の時間間隔の満了時に、前記過負荷メトリックが依然として前記しきい値を超えていると決定したことに応答して、前記オフサイクル期間の前記持続時間を増加させるための手段
をさらに含む、上記Ｃ１１に記載の装置。
［Ｃ１７］
前記第１の時間間隔の満了後に、前記過負荷メトリックが依然として前記しきい値を超えているかどうかを決定するための手段と、
前記過負荷メトリックに少なくとも部分的に基づいて前記オフサイクル期間の持続時間を変更するための手段と、
前記変更されたオフサイクル期間の持続時間の間、第２の時間間隔中に１つまたは複数の確認応答メッセージを選択的に送信しないための手段と
をさらに含む、上記Ｃ１１に記載の装置。
［Ｃ１８］
前記オフサイクル期間の前記持続時間の間、前記第１の時間間隔中にアップリンクデータチャネル上で１つまたは複数のパケットに対応する１つまたは複数の無線リンク制御確認応答メッセージを送信するための手段
をさらに含む、上記Ｃ１１に記載の装置。
［Ｃ１９］
前記送信電力を変更するための前記手段が、
前記第１の時間間隔中に少なくとも１つのアップリンクチャネルに関連する電力増幅器（ＰＡ）の最大送信電力限界（ＭＴＰＬ）を低減するための手段
をさらに含む、上記Ｃ１１に記載の装置。
［Ｃ２０］
変更するための前記手段が、
前記第１の時間間隔中に１つまたは複数のダウンタイマー期間中に電力バックオフ値に基づいて前記少なくとも１つのアップリンクチャネルについての前記ＭＴＰＬを周期的に低減するための手段
を含む、上記Ｃ１９に記載の装置。
［Ｃ２１］
ワイヤレス通信のための装置であって、
過負荷メトリックが対応するしきい値を超えたかどうかを決定することと、
前記過負荷メトリックが前記対応するしきい値を超えた場合、第１の時間間隔のオフサイクル期間中に少なくとも１つのアップリンク制御チャネルの少なくとも一部分を選択的に送信しないことによって、前記第１の時間間隔中に前記アップリンク制御チャネルの送信電力を変更することと
を行うように構成された少なくとも１つのプロセッサ
を含む、装置。
［Ｃ２２］
前記過負荷メトリックが温度メトリックである、上記Ｃ２１に記載の装置。
［Ｃ２３］
選択的に送信されない前記アップリンク制御チャネルの前記一部分が、１つまたは複数の受信したパケットに対応する１つまたは複数の確認応答メッセージを含む、上記Ｃ２１に記載の装置。
［Ｃ２４］
前記送信電力を変更するように構成された前記少なくとも１つのプロセッサが、
前記オフサイクル期間の持続時間の間、前記第１の時間間隔中に物理アップリンク制御チャネル（ＰＵＣＣＨ）の１つまたは複数のハイブリッド自動再送要求（ＨＡＲＱ）メッセージを選択的に送信しない
ようにさらに構成された、上記Ｃ２１に記載の装置。
［Ｃ２５］
前記少なくとも１つのプロセッサが、
前記オフサイクル期間の満了時に前記第１の時間間隔中に前記少なくとも１つのアップリンク制御チャネルを送信する
ようにさらに構成された、上記Ｃ２１に記載の装置。
［Ｃ２６］
前記少なくとも１つのプロセッサが、
前記第１の時間間隔の満了時に、前記過負荷メトリックが依然として前記しきい値を超えていると決定したことに応答して、前記オフサイクル期間の前記持続時間を増加させる
ようにさらに構成された、上記Ｃ２１に記載の装置。
［Ｃ２７］
前記少なくとも１つのプロセッサが、
前記第１の時間間隔の満了後に、前記過負荷メトリックが依然として前記しきい値を超えているかどうかを決定することと、
前記過負荷メトリックに少なくとも部分的に基づいて前記オフサイクル期間の持続時間を変更することと、
前記変更されたオフサイクル期間の持続時間の間、第２の時間間隔中に１つまたは複数の確認応答メッセージを選択的に送信しないことと
を行うようにさらに構成された、上記Ｃ２１に記載の装置。
［Ｃ２８］
前記少なくとも１つのプロセッサが、
前記オフサイクル期間の前記持続時間の間、前記第１の時間間隔中にアップリンクデータチャネル上で１つまたは複数のパケットに対応する１つまたは複数の無線リンク制御確認応答メッセージを送信する
ようにさらに構成された、上記Ｃ２１に記載の装置。
［Ｃ２９］
前記送信電力を変更するように構成された前記少なくとも１つのプロセッサが、
前記第１の時間間隔中に少なくとも１つのアップリンクチャネルに関連する電力増幅器（ＰＡ）の最大送信電力限界（ＭＴＰＬ）を低減する
ようにさらに構成された、上記Ｃ２１に記載の装置。
［Ｃ３０］
前記送信電力を変更するように構成された前記少なくとも１つのプロセッサが、
前記第１の時間間隔中に１つまたは複数のダウンタイマー期間中に電力バックオフ値に基づいて前記少なくとも１つのアップリンクチャネルについての前記ＭＴＰＬを周期的に低減する
ようにさらに構成された、上記Ｃ２９に記載の装置。
［Ｃ３１］
ワイヤレス通信のためのコンピュータプログラム製品であって、前記コンピュータプログラム製品が、コードを記憶した非一時的コンピュータ可読媒体を含み、前記コードは、
過負荷メトリックが対応するしきい値を超えたかどうかを決定することと、
前記過負荷メトリックが前記対応するしきい値を超えた場合、第１の時間間隔のオフサイクル期間中に少なくとも１つのアップリンク制御チャネルの少なくとも一部分を選択的に送信しないことによって、前記第１の時間間隔中に前記アップリンク制御チャネルの送信電力を変更することと
を行うために１つまたは複数のプロセッサによって実行可能である、コンピュータプログラム製品。
［Ｃ３２］
前記過負荷メトリックが温度メトリックである、上記Ｃ３１に記載のコンピュータプログラム製品。
［Ｃ３３］
選択的に送信されない前記アップリンク制御チャネルの前記一部分が、１つまたは複数の受信したパケットに対応する１つまたは複数の確認応答メッセージを含む、上記Ｃ３１に記載のコンピュータプログラム製品。
［Ｃ３４］
前記送信電力を変更するための前記コードが、
前記オフサイクル期間の持続時間の間、前記第１の時間間隔中に物理アップリンク制御チャネル（ＰＵＣＣＨ）の１つまたは複数のハイブリッド自動再送要求（ＨＡＲＱ）メッセージを選択的に送信しないためのコード
をさらに含む、上記Ｃ３１に記載のコンピュータプログラム製品。
［Ｃ３５］
前記オフサイクル期間の満了時に前記第１の時間間隔中に前記少なくとも１つのアップリンク制御チャネルを送信するためのコード
をさらに含む、上記Ｃ３１に記載のコンピュータプログラム製品。
［Ｃ３６］
前記第１の時間間隔の満了時に、前記過負荷メトリックが依然として前記しきい値を超えていると決定したことに応答して、前記オフサイクル期間の前記持続時間を増加させるためのコード
をさらに含む、上記Ｃ３１に記載のコンピュータプログラム製品。
［Ｃ３７］
前記第１の時間間隔の満了後に、前記過負荷メトリックが依然として前記しきい値を超えているかどうかを決定するためのコードと、
前記過負荷メトリックに少なくとも部分的に基づいて前記オフサイクル期間の持続時間を変更するためのコードと、
前記変更されたオフサイクル期間の持続時間の間、第２の時間間隔中に１つまたは複数の確認応答メッセージを選択的に送信しないためのコードと
をさらに含む、上記Ｃ３１に記載のコンピュータプログラム製品。
［Ｃ３８］
前記オフサイクル期間の前記持続時間の間、前記第１の時間間隔中にアップリンクデータチャネル上で１つまたは複数のパケットに対応する１つまたは複数の無線リンク制御確認応答メッセージを送信するためのコード
をさらに含む、上記Ｃ３１に記載のコンピュータプログラム製品。
［Ｃ３９］
前記送信電力を変更するための前記コードが、
前記第１の時間間隔中に少なくとも１つのアップリンクチャネルに関連する電力増幅器（ＰＡ）の最大送信電力限界（ＭＴＰＬ）を低減するためのコード
をさらに含む、上記Ｃ３１に記載のコンピュータプログラム製品。
［Ｃ４０］
変更するための前記コードが、
前記第１の時間間隔中に１つまたは複数のダウンタイマー期間中に電力バックオフ値に基づいて前記少なくとも１つのアップリンクチャネルについての前記ＭＴＰＬを周期的に低減するためのコード
を含む、上記Ｃ３９に記載のコンピュータプログラム製品。
【図１】
0005815865.tif 000003
【図２】
0005815865.tif 000004
【図３】
0005815865.tif 000005
【図４】
0005815865.tif 000006
【図５】
0005815865.tif 000007
【図６】
0005815865.tif 000008
【図７】
0005815865.tif 000009
【図７Ａ】
0005815865.tif 000010
【図８】
0005815865.tif 000011
【図９】
0005815865.tif 000012
【図１０】
0005815865.tif 000013